【事件の表示】
　特願２００２−　９４７７４「床用吸込具」拒絶査定不服審判事件〔平成１４年１０月１５日出願公開、特開２００２−３００９８９〕について、次のとおり審決する。
【結　論】
　本件審判の請求は、成り立たない。
【理　由】
 １．手続の経緯
　本件出願は、平成９年１０月２２日に特許出願した特願平９−２８９８８２号（以下、「原出願」という）の一部を平成１４年３月２９日に新たな特許出願として出願したものであり、本件出願の出願日は、平成９年１０月２２日である。
　原審において平成１５年１１月１５日付けで拒絶理由通知がなされ、平成１６年１月３０日付けで意見書及び手続補正書が提出されたが、平成１６年９月３日付けで拒絶査定がなされ、この査定に対し、平成１６年１０月６日付けで審判請求がなされたものである。
　
　
２．本件発明
　そこで、本件の請求項１及び２に係る発明は、上記平成１６年１月３０日付けの手続補正によって補正された明細書及び図面の記載からみて、その特許請求の範囲の請求項１及び２に記載された事項により特定される次のとおりのものである。
「　【請求項１】　上ケース、下ケース及び蓋体を有し、下面に吸込口を有する吸込具本体と、該吸込具本体内に形成される回転ブラシ収納室と、前記吸込口に臨ませた状態で回転ブラシ収納室に回転自在に収納される回転ブラシとを備え、前記回転ブラシは、芯体と、該芯体に形成された螺旋状の溝に基部を挿入して装着される撓みやすく構成されたブレードを有すると共に、前記吸込具本体の蓋体に、前記回転ブラシのブレードに向かって外気を案内しブレードに外気を吹き付けて回転ブラシを回転させる吐出口を形成すると共に、前記吐出口と前記ブレードとの対応関係を前記吐出口から流入する外気が回転ブラシの回転に伴って前記ブレードのいずれかの部分に当たるようにしたことを特徴とする床用吸込具。
　　【請求項２】　上ケース、下ケース及び蓋体を有し、下面に吸込口を有する吸込具本体と、該吸込具本体内に形成される回転ブラシ収納室と、前記吸込口に臨ませた状態で回転ブラシ収納室に回転自在に収納される回転ブラシとを備え、前記回転ブラシは、芯体と、該芯体に形成された螺旋状の溝に基部を挿入して装着されるブラシ体を有すると共に、前記吸込具本体の蓋体に、前記回転ブラシのブラシ体に向かって外気を案内しブラシ体に外気を吹き付けて回転ブラシを回転させる吐出口を形成すると共に、前記吐出口と前記ブラシ体との対応関係を前記吐出口から流入する外気が回転ブラシの回転に伴って前記ブラシ体のいずれかの部分に当たるようにしたことを特徴とする床用吸込具。」
　
　
　
３．原査定で引用された刊行物
　刊行物１：特開平９−１８７４０５号公報
　刊行物２：国際公開第９６／２８０８１号パンフレット
　
　
　
４．引用刊行物に記載された発明
（１）刊行物１に記載された発明
《記載事項》
　刊行物１には、図面と共に次のａ．〜ｈ．の記載がある。
ａ．「【０００１】
【発明の属する技術分野】本発明は回転清掃体を内設する吸口体を備えた電気掃除機に係り、特に回転清掃体が被掃除面から受ける回転抵抗を軽減する電気掃除機に関する。
【０００２】
【従来の技術】従来の電気掃除機に使用されている吸口体は、特公平4−45173号公報に記載の回転清掃体（回転ブラシ）の摺接片のように断面薄板状に形成され、回転体の法線方向に向かって摺接片が配設されていた。
【０００３】
【発明が解決しようとする課題】上記特公平4−45173号公報に記載の技術においては、吸口体の回転清掃体（回転ブラシ）の摺接片は、断面薄板状にし掃除面から受ける回転抵抗を軽減しているが、回転清掃体に配設される摺動部材が回転清掃体の方線方向に配設されているため、特に毛足の長い絨毯では抵抗が大きくなり、塵埃を掻き上げるのに十分な回転力が得られなかった。
【０００４】また、さらに掃除面から受ける回転抵抗を軽減しようと摺接片の肉厚を極端に薄くすると、絨毯上の塵埃を掻き上げる効果が減り、また摺接片が切損してしまうという問題があった。
【０００５】そこで本発明の目的は、上記課題を解決し、毛足の長い絨毯においても、回転清掃体が受ける回転抵抗を軽減し、被掃除面の種類に関係なく、塵埃を掻き上げるのに必要な回転清掃体の回転力を得ることができる吸口体を備えた電気掃除機を提供することにある。
【０００６】
【課題を解決するための手段】上記課題を解決するために本発明の特徴とするところは、
下面に吸込口を有する下ケース
　
ｂ．「【０００７】
【発明の実施の形態】以下、本発明の実施例を添付の図面を参照して説明する。
【０００８】図１４に本発明の一実施例に係る電気掃除機の外観の斜視図を示しており、２０１は制御回路や電動送風機等が内蔵された掃除機本体、２０２は掃除機本体２０１の吸込口部に接続されたホース、２０３は使用者が握るとともに一端側にホースを接続するホース手元部、２０４はホース手元部２０３の他端側に接続された延長管、２０５は延長管２０４に接続された吸口体、２０６はホース手元部２０３に設けられたスイッチ操作部、２０７はホース手元部２０３に設けられた第一の赤外線発光部、２０８はホース手元部２０３に設けられた第二の赤外線発光部、２０９は掃除機本体２０１の上面に設けられた赤外線受光部であり、２１０は室内の天井を示している。
【０００９】次に本発明にかかる電気掃除機の動作について説明すると、掃除機の使用者がホース手元部２０３に設けられたスイッチ操作部２０６の一つを押すと、押されたスイッチに従った信号コードが赤外線信号として第一の赤外線発光部２０７及び第二の赤外線発光部２０８より放射される。
【００１０】第一の赤外線発光部２０７は通常の使用状態では略鉛直上方を向くように配設されており、第一の赤外線発光部２０７から放射された赤外線信号は、部屋の天井や壁に当って反射し、掃除機本体２０１の赤外線受光部２０９に到達する。
【００１１】また、第二の赤外線発光部２０８は、ホース手元部のグリップエンドに略水平より下方に向くように配設されており、第二の赤外線発光部２０８から放射された赤外線信号は、直接的に掃除機本体２０１の赤外線受光部２０９に到達する。赤外線受光部２０９に到達した赤外線信号は、掃除機本体２０１に内蔵されている制御回路を介して掃除機を制御するようにしている。
【００１２】本実施例に関する掃除機は、上述したように使用者によって入力された操作情報を、赤外線信号を利用して掃除機本体２０１に送信し、掃除機を制御するようにしているので、ホース２０２に電源線を用いることがなく、ホースの軽量化が図れる。
【００１３】このような掃除機に用いられる吸口体は、電動送風機の吸込気流によって回転するタービンを駆動源として、回転ブラシを回転させるタイプのものが主に用いられる。」
　
ｃ．「【００１４】本実施例はこのような吸口体の改良に関するものであり、図１は本発明の一実施例に係る吸口体２０５の上断面図、図２は図１におけるＡ−Ｏ−Ａ断面図、図３は吸口体２０５の吸込口カバー１０６を外した状態の上面図、図４は図３における吸口体２０５の背面図、図５は吸口体２０５の上面図、図６は吸口体２０５の下面図である。
【００１５】図１〜図６において、吸口体２０５の骨格となる
吸口本体１０１は、
下ケース１０２と、
上ケース１０３とにより形成されている
【００１６】下ケース１０２と上ケース１０３とが接触する位置の外周には、気密を保持するとともに家具等への傷付きを防止する衝撃吸収バンパー１０４が取付けられている。
【００１７】
吸口本体１０１の上部前方には
吸込口１０５を覆う吸込口カバー１０６が着脱自在に配設されている
【００１８】吸口本体１０１の後端部には上下回動自在なケーシング１０７を備え、その先端に回転自在な吸口継手１０８を接続している。
【００１９】下ケース１０２には、図６に示すように、吸口体２０５全体を前後方向に移動させるとともに、吸口体２０５の下面と掃除面との間に一定間隔を保つように一対の前車輪１０９と一対の後車輪１１０、及び掃除機使用中における掃除面に対する圧力を受けるためのローラー１１１が配設されている。
【００２０】また、下ケース１０２の前後には吸込口１０５内の吸込圧力を保持する圧力制御板１１２，１１３が配設されている。
【００２１】ここで、前車輪１０９と後車輪１１０は互いに相向き合う位置に配置されている。
【００２２】吸込口カバー１０６の内側には横方向にスライドする一対の開閉レバー１１４があり、これを操作することにより、下ケース１０２及び上ケース１０３から取り外すことができる。
【００２３】
吸口体２０５の内部には
回転ブラシ１１５が配設され
回動自在に軸支されている
【００２４】すべり軸受１１７は、軸受カバー１１８に圧入され、下ケース１０２に設けた一対の対峙した支持リブ１１９により保持されている。
【００２５】また、
回転ブラシ１１５の両端に
タービン１２０Ａが挿入され
【００２６】更にこのタービン１２０Ａと対向するようにタービン１２０Ｂが配設され、
これら２つのタービン１２０Ａとタービン１２０Ｂによりタービン１２０が構成されている
【００２７】本実施例に用いられるタービン１２０は、このように２つのタービン１２０Ａとタービン１２０Ｂにより構成することにより、タービンを成形するに当たっての金型の作成が容易になる。」
　
ｄ．「【００２８】次に回転ブラシ１１５を回転させるための手段について説明すると、図７は図１の吸口体２０５におけるＢ−Ｂ断面図、図８は吸込口カバー１０６の裏面図、図９は吸込口カバー１０６の背面図（一部図５におけるＣ−Ｃ断面図）図１０は図８におけるＤ−Ｄ断面図、図１１は図８におけるＥ−Ｅ断面図である。
【００２９】本実施例の吸口体２０５は図７に示すように、タービン１２０に向って空気を吹付けるための多数のノズル１２１，１２２（以下多翼ノズル１２１，１２２と称す）が、タービン１２０の外周をほぼ覆うように配設されている。
【００３０】この多翼ノズル１２１，１２２は、上下に二分割されて配置されており、上側の多翼ノズル１２１は図８及び図１１に示すように、ねじ１２３によって吸込口カバー１０６の裏面に固定され、また、下側の多翼ノズル１２２は図１及び図３に示すように、下ケース１０２にねじ１２４によって固定されている。
【００３１】ここで、多翼ノズル１２１，１２２はタービン１２０Ｂに空気を吹き付けるように配置されており、その空気はタービン１２０Ａ移動して吸込口１０５に流れ込むようになっている。
【００３２】また、下ケース１０２のタービン１２０の径方向延長部には前述したように、一対の前車輪と１０９と一対の後車輪１１０が位置し、タービン１２０下部の吸込口１０５と清掃床面の間のすきまを一定に保つようにしている。」
　
ｅ．「【００３３】次に回転ブラシ１１５を回転させるための動作について説明すると、
タービン１２０へ吹付ける空気は
上ケース１０３後部に設けられた
後部吸気口１２５
上ケース１０３上部に設けられた
上部吸気口１２６より吸気される
【００３４】後部吸気口１２５及び上部吸気口１２６は、吸気口自体の強度を確保するために吸気口の角部（後部吸気口１２５の後端，上部吸気口１２６の上端）には通気孔を形成しないようにしている。これにより、多数の通気孔を有する吸気口自体の強度を確保することができる。
【００３５】図１２に後部吸気口１２５の断面図を示しており、後部吸気口１２５は、上ケース１０３の板厚の略半分となるように成形し、この板厚が薄くなった上ケース１０３の吸気口に、通気孔１２７を形成するようにしている。
【００３６】吸気口と吸気口の間は板厚の厚いリブ１０３Ａが形成されるので、後部吸気口１２５あるいは上部吸気口１２６付近に衝撃が加わった場合においても、板厚の厚いリブ１０３Ａによって保護されるため、板厚が薄い吸気口の損傷を防ぐことができる。
【００３７】吸口体２０５の後部には図１に示すように、下ケース１０２及び上ケース１０３の前壁によって形成された仕切壁１２８Ａと、下ケース１０２の外壁及び上ケース１０３の外壁とにより形成された通風路１２９Ａが設けられている。
【００３８】また、回転ブラシ１１５の前側にも仕切壁１２８Ｂ及び通風路１２９Ｂが同様に形成されている。
【００３９】後部吸気口１２５及び上部吸気口１２６の通気孔から吸気された空気は図１及び図７に示すように、通風路１２９Ａを通って下ケース１０２と一体に成形された案内壁１３０によって絞り込まれて多翼ノズル１２１，１２２に導かれ、タービン１２０に吹付けるようにしている。
【００４０】後部吸気口１２５及び上部吸気口１２６の通気孔から吸気された空気の大半は、多翼ノズル１２１の手前側からタービン１２０に導かれるため、多翼ノズル１２１の前側及び多翼ノズル１２２にはほとんど空気が流れない。
【００４１】そこで、本実施例では多翼ノズル１２１の前側及び多翼ノズル１２２にも空気を流してタービン１２０（回転ブラシ１１５）のトルクを向上させるために、図８及び図１３に示すように吸口体２０５（吸込口カバー１０６）の側面に空気導入口１３１を設けるようにしている。
【００４２】空気導入口１３１を設けることにより、多翼ノズル１２１の前側及び多翼ノズル１２２にも空気が流れるようになり、タービン１２０（回転ブラシ１１５）のトルクを向上させることができる。尚、必要に応じて空気導入孔の数やその位置は適宜選択できるものである。
【００４３】タービン１２０に吹付けられた空気は、タービン１２０を図１に示すように流れた後、吸込口１０５へ流れ、吸込口１０５のほぼ中央部に位置するケーシング１０７，吸口継手１０８を通って掃除機本体へ導かれる。
【００４４】一方、塵埃を含んだ空気は吸込口１０５からケーシング１０７，吸口継手１０８を通って掃除機本体へ導かれる。
【００４５】本実施例の吸口体２０５では、吸口体の後部吸気口１２５及び上部吸気口１２６の通気孔から吸気された空気をタービン１２０に流し、吸込口１０５のほぼ中央部からケーシング１０７，吸口継手１０８を通って掃除機本体へ吸引しているので、
空気は吸込口１０５内で高速で回転しながら中央部に移動し、旋回流が発生する
【００４６】発生した
旋回流は
回転ブラシのブレード１に当り、回転ブラシ１１５のトルクを向上させる
旋回流を効率良くトルク向上へいかすことができる
【００４７】本実施例によれば、吸口体の後部吸気口１２５及び上部吸気口１２６の通気孔から吸気された空気によって
タービン１２０と回転ブラシ１１５を回転させ
【００４８】また、本実施例の吸口体は、使用中に吸口体を掃除面から持ち上げた場合には、大半の空気が吸込口１０５から吸い込まれ、吸口体の後部吸気口１２５及び上部吸気口１２６の通気孔から吸い込まれる空気が減るので、タービン１２０及び回転ブラシ１１５の回転数が減少する。
【００４９】これにより、負荷が軽くなることによってエアタービンが高速回転して騒音を発生させるという従来のエアタービンタイプの吸口体の欠点を解消することができる。
【００５０】さらに本実施例の吸口体は、掃除面の種類によって自動的にタービン１２０及び回転ブラシ１１５の回転数が変化するようになっている。
【００５１】これは、例えば
掃除面が床面
といった場合
【００５２】また、掃除面がじゅうたんの場合には、吸口体２０５の下面がじゅうたんと密着し、吸込口１０５から吸い込まれる空気の量が減り、吸口体の後部吸気口１２５及び上部吸気口１２６の通気孔から吸い込まれる空気が増加するので、タービン１２０及び回転ブラシ１１５の回転数が上昇するとともに旋回流が発生する。
【００５３】これにより、じゅうたん上の塵埃を回転ブラシ１１５により掻き出し、さらに旋回流により塵埃を巻き上げることができ、集塵効率が向上する。
【００５４】本実施例の吸口体は上述したように、掃除面の種類によって自動的にタービン１２０及び回転ブラシ１１５の回転数が変化するようになっているので、従来のエアタービンタイプの吸口体に必要であった掃除面に合わせてエアタービンに吹き付ける空気の量を手動で切り換える切換レバーが不要となり、操作性が向上する。」
　
ｆ．「【００６４】次に本実施例の回転ブラシ１１５の断面拡大図を図１５に示す。
【００６５】
回転ブラシ１１５は、ブレード１５０１及び刷毛１５０２をロータリーコア１５０３の溝部１５０４から外周面に突出させて形成され
【００６６】また、刷毛１５０２は刷毛台１５０８に植毛され、溝部１５０４に刷毛台１５０８を挿入することにより、刷毛１５０２をロータリーコア１５０３に固定している。
【００６７】本実施例に用いられる回転ブラシ１１５は、先に述べたように回転ブラシ１１５と直結したタービン１２０を駆動源としている。タービン１２０は電動送風機によって発生する吸込気流を利用してで回転するため、吸込気流の風量及び被掃除面の抵抗によってタービン１２０の回転力が大きく左右される。このため、被掃除面の状態、例えば毛足の長い絨毯上では回転ブラシ１１５に大きな抵抗がかかり、この抵抗力がタービン１２０の回転力を上回り、回転ブラシ１１５が停止して絨毯の塵埃を掻き出せないといった欠点があった。
【００６８】そこで、本実施例ではこの抵抗力を低減させるために、ブレード１５０１の摺接部１５０６を回転ブラシ１１５の反回転方向に曲がった形状をとっている。そして、ブレード１５０１は可撓性を有しているため、回転ブラシ１１５が回転すると、回転による遠心力を受け、ブレード１５０１の摺接部１５０６がロータリーコア３の法線方向に立上り、掃除面に摺接して塵埃を掻き上げることができる。この立上り量は被掃除面の種類により異なり、毛足の長い絨毯では回転ブラシ１１５の回転数が低いので、発生する遠心力も小さくなり、ブレード１５０１の立上り量が少ない状態で被掃除面を摺接し、逆に毛足の短い絨毯では回転ブラシ１１５の回転数が高くなるので、発生する遠心力も大きくなり、ブレード１５０１の立上り量が大きい状態で被掃除面を摺接することになる。さらに、摺接部１５０６の先端部には塵埃掻き上げ用の突起１５０７がブレード１５０１の幅全体に形成されているので、塵埃を効率良く掻き出すことができる。
【００６９】上述した回転ブラシ１１５の寸法関係は、ブレード１５０１の摺接部１５０６が曲がった状態の外径寸法をａ、刷毛１５０２の外径寸法をｂ、回転ブラシ１１５の回転により摺接部１５０６がロータリーコア１５０３の法線方向に立上った状態の外径寸法をｃとすると、それらの関係は、ａ＜ｂ，ｂ＜ｃとなっている。
【００７０】また、電動送風機の吸込力により吸込口１０５に吸い付いてしまうような薄手の絨毯においては、回転ブラシ１１５の回転数が低いので、ブレード１５０１がほとんど立上らない。そのため、ブレード１５０１による絨毯の糸屑や髪の毛などの掻き上げ効果がない。その場合、ブレード１５０１の摺接部１５０６が曲がった状態の外径寸法ａよりも大きい外径寸法ｂの刷毛１５０２が絨毯の糸屑や髪の毛などの掻き上げを行う。
【００７１】さらに、ブレード１５０１の形状は先端に突起１５０７が形成されているため、この突起１５０７が重りとなり、回転ブラシ１１５の回転によるブレード１５０１の法線方向の立ち上がりを容易にしている。
【００７２】本実施例によれば、被掃除面の種類によって回転数が変化し、これに伴ってブレード１５０１の立上り量が変化するので、毛足の長い絨毯といった負荷の大きい被掃除面を掃除する場合においても、被掃除面から受ける回転ブラシ１１５の抵抗を低減でき、絨毯上の糸屑や髪の毛などの掻き上げに必要な回転を確保することができる。
【００７３】また、本実施例の吸口体は先に説明したように吸込口１０５内に旋回流が発生するので、曲げて形成されたブレード１５０１が羽根車の役割をはたし、旋回流で塵埃を掻き上げるとともに回転ブラシの回転力を増大させることができる。」
　
ｇ．「【００７８】図１８及び図１９に本発明に係る他の実施例を示す。
【００７９】本実施例ではブレード１５０１に加え、刷毛１８０１も反回転方向に曲げて形成している。刷毛１８０１は刷毛台１８０２に植毛され、溝部１５０４に刷毛台１５０８を挿入することにより、刷毛１５０２をロータリーコア１５０３に固定している。そして、図１９に示すように刷毛１８０１の曲がっている部分を細くし、先端を太く形成している。
【００８０】本実施例によれば、刷毛１８０１の曲がっている部分を細くし、先端を太く形成しているので、先の実施例の効果に加え回転ブラシ１１５の回転によって発生する遠心力よる刷毛１８０１の法線方向の立ち上がりを容易にすることができる。」
　
ｈ．「【００８３】
【発明の効果】以上説明したように本発明によれば、回転清掃体に配設されるブレードあるいは刷毛等を回転清掃体の反回転方向に曲げて形成するようにしたので、回転清掃体が被掃除面から受ける抵抗を軽減することができ、とくに毛足の長い絨毯においても、絨毯上の塵埃の掻きあげに必要な回転が得ることができる吸口体を備えた電気掃除機を提供することができる。」
　
《発明の認定》
　したがって、刊行物１には、
「上ケース１０３、下ケース１０２より形成され、吸込口１０５を覆う吸込口カバー１０６が配され、上記下ケース１０２の下面に吸込口１０５が形成される吸口本体１０１と、内部に回動自在に軸支される回転ブラシ１１５とを備え、この回転ブラシ１１５の両端にタービン１２０が設けられ、前記回転ブラシ１１５は、ブレード１５０１及び刷毛１５０２をロータリーコア１５０３の溝部１５０４から外周面に突出させて形成されると共に、上ケース１０３に設けられた後部吸気口１２５及び上部吸気口１２６より吸気された空気がタービン１２０へ吹付けられてタービン１２０を回転させ、その後、この空気は吸込口１０５内に導かれ、高速で回転しながら旋回流となって回転ブラシのブレードに当り回転ブラシ１１５を回転させ、よって旋回流を回転ブラシ１１５のトルク向上へいかすことができる、床面掃除に用いられる吸口体２０５。」
なる発明が記載されている。
　
　
（２）刊行物２に記載された発明
《記載事項》
　上記刊行物２には、図面と共に次のａ．〜ｇ．の記載がある。
ａ．「技術分野
　本発明は電気掃除機及びその吸口体に関し、特に、吸引力を駆動源とするロータリーブラシ（特に刷毛やブレードをらせん状に巻き付けた棒状のものをいう）を備えた吸口体を備えた電気掃除機及びその吸口体に関する。
背景技術
　従来の電気掃除機のうち、特に吸引力を駆動源とするロータリーブラシを備えた吸口体にあっては、羽根車の回転をプーリーやベルトを介してロータリーブラシに伝達していた。そのため羽根車とロータリーブラシが別々に別れているため、吸口体全体が大きく重たくなっていた。
　そこで、特開昭６３−２１４２１７号公報や特開昭６４−５８２２３号公報に記載のように、羽根車に同軸に一体回転するロータリーブラシを配設し、上記羽根車を隔壁で囲むタービン室を形成する吸口体が提案されている。
　尚、この種の装置として関連するものには、他に実開昭５４−１７７１７０号公報や実開昭５７−６９６６５号公報等が挙げられる。
　上記従来技術のうち、吸口のロータリーブラシを別軸の羽根車で駆動するものにおいては、羽根車の容積が大きく、そのため吸口の大きさも大きくなるという問題点があった。また、羽根車はロータリーブラシの３倍から４倍の回転数で回転するため、騒音が大きいという問題点があった。
　また、羽根車とロータリーブラシを同軸に構成するものにおいては、吸口外から吸引した空気は、まず被掃除面を通り、ロータリーブラシの刷毛やブレードがかき上げたごみを搬送し、その後ノズルを通って、隔壁で囲われたタービン室に入り、羽根車に衝突し、トルクを発生させるため、吸口体を持ち上げ時に、ロータリーブラシの抵抗が小さくなるため、ロータリーブラシが異常に高速回転するため、騒音が発生し、また誤って吸口内に指等を入れた場合、危険であるという問題点があった。
　また、床上のごみがノズルを通るため、ノズル面積を小さくすることが出来ず、そのため羽根車に衝突する気流の風速を上げられず、結果ロータリーブラシを回転させるに十分なトルクを発生させることが困難であるという問題点があった。」（明細書第１頁３行〜第２頁６行）
　
ｂ．「発明の開示
　本発明の目的は、小型軽量で、かつ音が静かな電気掃除機の吸口と、これを用いた電気掃除機を提供する事にある。
　上記目的は、吸口内部に、吸引力で回転する羽根車（ランナーともいう。以下同じ。）と、この羽根車の全部或いは一部分に、被掃除面と接触する刷毛或いはブレード（軟質ブレードともいう。以下同じ。例えばゴムべら状の如く前記の羽根車の材質に比べて可撓性があるもの。）を取り付けることにより達成され、或いは羽根車と同軸で一体回転するロータリーブラシを持ち、この羽根車とロータリーブラシの間に隔壁等を設けないことにより達成され、また吸口外部から吸引した流体の全部または一部が、先ず羽根車に衝突しこの羽根車を回転させ、その後披掃除面を通って掃除機本体に吸引されることにより達成される。
　すなわち本発明の電気掃除機は、吸引力を発生する電動送風機と、電動送風機を収納するケーシングと、ケーシング内に電動送風機の吸引側に形成される集塵部と、集塵部に開口するケーシングの開口部に接続されるホース及び／または延長管と、ホース及び／または延長管の途中またはホース及び延長管の接続部近傍に位置して電動送風機の駆動操作を行うスイッチ操作部と、ホース及び／または延長管の先端に接続される吸口体とを備え、電動送風機の吸引力を利用して披掃除面の清掃を行うものであって、その望ましい態様は以下の通りである。
（１）前記吸口体内部に吸引力で回転する羽根車を設け、羽根車の全部或いは一部分に被掃除面と接触する刷毛及び／またはブレードを取り付けることにより、羽根車の全部或いは一部分が回転刷毛及び／または回転ブレードを兼ねるようにする。
　　　　　　　　　　・・・・・
　また本発明の吸口体は、電動送風機による吸引力を用いて被掃除面の清掃を行うものであり、吸引力で回転する羽根車を内蔵するものであって、その態様は以下のようである。
（Ａ）羽根車の全部或いは一部分に前記被掃除面と接触するように刷毛及び／またはブレードを取り付けることにより、羽根車の全部或いは一部分が回転刷毛及び／または回転ブレードを兼ねるようにする。
（Ｂ）上記（Ａ）において、刷毛及び／またはブレードは、夫々刷毛のみを１本乃至複数本、ブレードのみを１本乃至複数本、または両者混在にて複数本、
羽根車にらせん状に取り付け
（Ｃ）上記（Ａ）または（Ｂ）において、羽根車の長さが、吸口体内部の長手方向の長さの半分より長い。
（Ｄ）上記（Ａ）乃至（Ｃ）のいずれかにおいて、刷毛及び／またはブレードは、羽根車の羽根より外周側に出ている。
（Ｅ）上記（Ａ）乃至（Ｄ）のいずれかにおいて、羽根車の外側にケースを有し、ケースの床面側が開口している。
（Ｆ）上記（Ａ）乃至（Ｅ）のいずれかにおいて、吸口体の両端近傍で被掃除面に対面する開口面とは別に、外部から空気を吸引するための入口ノズルを設け、吸口体の中央のホース及び／または延長管の先端が接続される部位を出口ノズルとし、出口ノズルの延長軸線に対して両端近傍の入口ノズルを対称に配置する。
（Ｇ）上記（Ｆ）において、羽根車の直径が、両端部で大きく、中央部で小さい。
（Ｈ）上記（Ａ）乃至（Ｅ）のいずれかにおいて、吸口体の中央で被掃除面に対面する開口面とは別に、
外部から空気を吸引する
吸口体内部の羽根車収納領域
（Ｉ）上記（Ａ）乃至（Ｈ）のいずれかにおいて、絨毯上での回転トルクが５０ｇｒ・ｃｍ以上２００ｇｒ・ｃｍ以下、特に好ましくは８０ｇｒ・ｃｍ以上１００ｇｒ・ｃｍ以下となるように羽根車の直径を定める。
（Ｊ）羽根車と同軸で一体回転するロータリーブラシを持ち、羽根車とロータリーブラシの間に隔壁等を設けない。
（Ｋ）上記（Ｊ）において、ロータリーブラシの下の面が床面に対し開口し、羽根車の部分は開口していない。
（Ｌ）上記（Ｊ）または（Ｋ）において、刷毛或いはブレードを含めたロータリーブラシの直径が、羽根車の直径より大きい。
（Ｍ）上記（Ｊ）乃至（Ｌ）のいずれかにおいて、刷毛或いはブレードを含めないロータリーブラシの軸の直径が、羽根車の直径より小さい。
（Ｎ）上記（Ｊ）乃至（Ｍ）のいずれかにおいて、ロータリーブラシの軸に羽根を取り付ける。
（Ｏ）外部から吸引した流体の全部または一部が先ず前記羽根車に衝突して羽根車を回転させ、その後披掃除面を通って掃除機本体に吸引される空気の流れ順路を形成してなる。
（Ｐ）上記（Ｏ）において、羽根車の回転方向に吹き出す１個または複数個のノズルを設ける。
（Ｑ）上記（Ｏ）または（Ｐ）において、吸口体内部の空気の入口と出口とが一直線上には位置していない。
（Ｒ）上記（Ａ）乃至（Ｑ）のいずれかにおいて、羽根車の回転数が１０００ｒｐｍ以上１００００ｒｐｍ以下である。
（Ｓ）上記（Ａ）乃至（Ｒ）のいずれかにおいて、吸口の外部から空気を吸引するための入口ノズルの面積を、吸口内部の静圧が、絨毯上で−３０００Ｐａ以上−２００Ｐａ以下となるように定める。
（Ｔ）上記（Ａ）乃至（Ｓ）のいずれかにおいて、羽根車の羽根自体にひねりを持たせる。
　　　　　　　　　　・・・・・
（Ｗ）上記（Ａ）乃至（Ｖ）のいずれかにおいて、吸口体を持ち上げた場合に自動的に羽根車の回転を弱める又は停止せしめる機構を備える。
（Ｘ）上記（Ａ）乃至（Ｗ）のいずれかにおいて、床面開口部の密閉性を高める手段を設ける。
　　　　　　　　　　・・・・・
　また本願明細書において、羽根車とは、風が方向性をもってぶつかることにより直接トルク（回転力）を生じるものであり、金属（アルミニウム）製、或いはプラスチック製で一体に形成されていることが好ましく、つまり羽根部にブラシ（刷毛とブレードの総称）よりも剛性があるものである。更に刷毛はスポンジ様のものを概念として包含し、ブレードは単独で或いは刷毛との併用でブラシ部を構成するものであり、剛性が前記羽根部よりも低くなっている。」（明細書第２頁７行〜第８頁２２行）
　
ｃ．「  次に本発明の作用について説明する。吸口体外部から吸引した流体の全部または一部が、先ず羽根車に衝突するため、羽根車を回転させるのに十分なトルクを発生することができる。また、この羽根車とロータリーブラシの間に隔壁等を設けていないので、吸口体を持ち上げると、空気は、殆ど床面開口部から吸引されノズルからの吸引は殆どなくなるため、羽根車は殆ど回転せず、使用者が誤って吸口内に手等を入れても安全である。
　羽根車の長さは吸口体内部の長手方向の長さの半分より長いことが好ましい。従来は、羽根車とブラシは同軸に構成されているものもあったが、羽根の部分とブラシの部分が完全に独立していたので、羽根車の部分ではゴミを掻き取ることができなかった。そこで羽根の部分を短くして、掃除できる範囲を広げる必要が生じる。しかし本発明では、羽根車とブラシは一体に構成できるので、羽根車の部分にてゴミを掻き取ることが可能となり、羽根車の長さを相対的に長くできるのである。
　羽根車の回転数が１０００ｒｐｍ以上１００００ｒｐｍ以下が好ましいが、その根拠は、羽根車が１０００ｒｐｍ以上回転しないとゴミを有効に掻き取ることができず、一般には回転数が大きい方が集塵能力は高くなるものの、１００００ｒｐｍ程度を超えるとそこで集塵性能が飽和し、代わりに回転に伴う騒音が大きくなってしまう。
　また吸口の外部から空気を吸引するための入口ノズルの面積を、吸口内部の静圧が、絨毯上で−３０００Ｐａ以上−２００Ｐａ以下となるようにするのが好ましい。入口ノズルの面積で吸口内の静圧が決まるが、静圧の絶対値が低く（＝負圧が小さく）−２００Ｐａに満たないとノズルを通って羽根車に衝突する気流の速度が遅くなり、所定のトルクを発生させることができない。しかし、静圧の絶対値が高くなり（＝負圧が大きくなり）−３０００Ｐａを超えると絨毯に吸い付いて操作が極端に困難になり、また床面からの空気の洩れも大きくなってトルクも飽和する。
　羽根車の直径は必要な回転トルクが得られればできるだけ小さい方が望ましい。このことから絨毯上でのトルクは５０ｇｒ・ｃｍ以上（望ましくは８０ｇｒ・ｃｍ以上）、２００ｇｒ・ｃｍ以下（望ましくは１００ｇｒ・ｃｍ以下）が好ましく、その範囲となるように羽根車の直径を決めることが有効である。
　掃除面に最適な回転数は絨毯については１０００ｒｐｍ以上（望ましくは３０００ｒｐｍ以上）、１００００ｒｐｍ以下（望ましくは４０００ｒｐｍ以下）となり、木床や畳では基本的にブラシは床に接触しないので最適回転数の考え方はないが、騒音の点では低い方（５０ｄＢ以下）が好ましい。
　望ましい回転数は、絨毯上での回転数＞持ち上げ時の回転数の関係となるが、従来は絨毯上での回転数＜持ち上げ時の回転数の関係であった。また望ましいトルクは、絨毯上でのトルク＞持ち上げ時のトルクの関係となるが、従来は絨毯上でも持ち上げ時でもトルクは変わらなかった。
　更に本発明は、外部から吸引した流体の全部または一部が先ず前記羽根車に衝突して羽根車を回転させ、その後披掃除面を通って掃除機本体に吸引される空気の流れ順路を形成してなるが、従来は吸口体外部から吸引した気流は、先ず被掃除面を通って、ブラシが掻き出したゴミを含んで、ノズルから羽根車に衝突し、この羽根車を回転させ、その後掃除機本体に吸引されるという違いがある。
　本発明によれば、羽根車に同軸にブラシを構成できるので、小型軽量で、かつ音が静かな電気掃除機の吸口と、これを用いた電気掃除機を提供することができる。
　また、吸口を持ち上げた場合、自動的に羽根車の回転が弱まる又は停止するので、ロータリーブラシの高速回転による騒音が発生せず、また使用者が誤って吸口内に指等を入れても安全である。
　また、刷毛が床面と接触する部分には高速の気流もまた接触しているので、床面からのゴミの剥離がより容易であるし、剥離したゴミも出口ノズルに運搬され易いので、集塵性能が向上するという効果もある。」（明細書第８頁２３行〜第１０頁２３行）
　
ｄ．「図面の簡単な説明
  第１図は、本発明の第１の実施例による吸口の透視図である。
  第２図は、本発明による電気掃除機の外観図である。
  第３図は、本発明の第１の実施例による吸口の上面透視図である。
  第４図は、本発明の第１の実施例による吸口の断面図である。
  第５図は、本発明の第１の実施例による吸口の断面図である。
  第６図は、本発明の第１の実施例による吸口の断面図である。
  第７図は、本発明の第１の実施例による吸口の断面図である。
  第８図は、本発明の第１の実施例による第２の吸口の上面透視図である。
  第９図は、本発明の第１の実施例による第２の吸口の断面図である。
  第１０図は、本発明の第１の実施例による第３の吸口の断面図である。
  第１１図は、本発明の第１の実施例による第４の吸口の上面透視図である。
  第１２図は、本発明の第２の実施例による吸口の上面透視図である。
  第１３図は、本発明の第２の実施例による第２の吸口の上面透視図である。」（明細書第１１頁３〜１９行）
　
ｅ．「発明を実施するための最良の形態
［実施例１］
以下、本発明の第１の実施例を図面に従い詳細に説明する。
　第１図に吸口体の透視図を示す。１０１は吸口本体、１０２は床面、１０３は羽根車、１０４は羽根車の外周にらせん状に巻き付けた刷毛、１０５〜１０６は吸口
外部から空気を
　第２図に本実施例の電気掃除機の外観を示す。２０１は電気掃除機本体、２０３はホース手元部に配置されたスイッチ操作部、２０４は延長管、１０１は吸口本体である。
　第３図に吸口本体１０１の上面透視図を示す。第３図において、３０１は吸口出口ノズル、３０２〜３０３は旋回気流である。
　第４図に吸口本体１０１のＡ−Ａ’断面図を示す。４０１は絨毯、４０２は床面開口部、４０３、４０５は空気の流れの方向を示す矢印である。
　第５図に吸口本体１０１のＢ−Ｂ’断面図を示す。５０１は吸口の継ぎ手部、５０２は出口ノズル、５０３は空気の流れの方向を示す矢印、５０４は吸口の継ぎ手部５０１が上下に可動できることを示す矢印である。
　第６図に吸口本体１０１のＣ−Ｃ’断面図を示す。６０１は吸口の側面、６０２〜６０３はフローリング用の車輪である。
　次に本発明の第１の実施例の動作を説明する。
　掃除機使用者がホース手元部のスイッチ操作部２０３を操作すると、操作されたスイッチに従った動作モードで電気掃除機本体２０１の電動送風機が運転する。電動送風機によって発生した吸引力は、ホース２０２、延長管２０４を通って吸口本体１０１に到達する。
　吸口本体１０１は第４図に示すように床面開口部４０２が絨毯４０１によってふさがれているため、
空気は入口ノズル１０６及び１０５から吸引され、羽根車１０３に衝突し、トルクを発生し、羽根車１０３を回転させる
その後空気は、
旋回気流３０２、３０３となる
旋回気流３０２、３０３は、羽根車１０３の周りを回転するため、羽根車に更にトルクを与える
　絨毯上のゴミは、床面開口部４０２から刷毛１０４により掻きあげられ、旋回気流３０２、３０３により運ばれ、出口ノズル５０２を通って掃除機本体２０１に吸引される。
　また、第６図に示すように、車輪６０２〜６０３は、絨毯上では沈み込むため、床面開口部４０２と床面４０１との隙間はなくなり、空気は、殆ど入口ノズル１０５〜１０６から吸引されるため、羽根車１０３は高速で回転するが、第７図に示すようにフローリングや畳上では、車輪６０２〜６０３の沈み込みが殆どないため、床面開口部４０２と床面７０１とに隙間が生じ、そのため入口ノズル１０５〜１０６から吸引される空気のが減少し、羽根車１０３はその回転速度が小さくなり、自動的にフローリングや畳に適した回転になる。
　また、吸口体を持ち上げると、空気は、殆ど床面開口部４０２から吸引されるため、羽根車１０３は殆ど回転せず、使用者が誤って吸口内に手等を入れても安全である。
　また、第８図に示すように、
羽根車８０２にひねりを持たせ
刷毛８０２、８０３は
羽根車の軸に植えることが可能
　本実施例では、ノズルを２ヶ所設け吸口の両端から吸引したが、これは必ずしも２ヶ所にする必要はなく、吸口の前面をすべてノズルにして開口してもよい。また、ノズルを吸口の後面に設けて、羽根車の回転方向を逆にすることも可能である。
  また、第１０図に示すように、羽根車を２個設けて、入口ノズルを吸口の前方と後方に設けて、羽根車の回転方向を各々逆にして集塵能力を向上させることも可能である。
　また、第１１図に示すように、入口ノズル１１１を吸口の中央部に設け、出口ノズル１１２、１１３を吸口の両端に設けてもよい。この場合気流の軸方向の流れ１１４、１１５が逆になるので、羽根車１１６のひねり方向は逆になる。
　以上述べたように本実施例によれば、羽根車と同軸にブラシを構成できるので、小型軽量で、かつ音が静かな電気掃除機の吸口と、これを用いた電気掃除機を提供する事ができる。
　また、吸口を持ち上げた場合、自動的に羽根車の回転が弱まる又は停止するので、ロータリーブラシの高速回転による騒音が発生せず、また使用者が誤って吸口内に指等を入れても安全である。
  また、刷毛が床面と接触する部分には高速の気流もまた接触しているので、床面からのゴミの剥離がより容易であるし、剥離したゴミも出口ノズルに運搬され易いので、集塵性能が向上するという効果もある。」（明細書第１１頁２０行〜第１４頁１３行）
　
ｆ．「［実施例２］
　以下、本発明の第２の実施例を図面に従い詳細に説明する。
　第１２図に吸口体の上面透視図を示す。第１２図において、１２１〜１２２は大径羽根車、１２３は小径羽根車、１２４は刷毛、１２５〜１２６は吸口外部から空気を吸引するための入口ノズル、１２７は吸口出口ノズル、１２８〜１２９は旋回気流である。
　次に本発明の第２の実施例の動作を説明する。掃除機使用者がホース手元部のスイッチ操作部２０３を操作すると、操作されたスイッチに従った動作モードで電気掃除機本体２０１の電動送風機が運転する。電動送風機によって発生した吸引力は、ホース２０２、延長管２０４を通って吸口１０１に到達する。吸口体の床面開口部１２９が絨毯によってふさがれているため、空気は入口ノズル１２５及び１２６から吸引され、羽根車１２１及び１２２に衝突し、トルクを発生し、その後、旋回気流１２８となる。旋回気流１２８は、小径羽根車１２３の周りを回転するため、羽根車に更にトルクを与える。絨毯上のゴミは、刷毛１２４により掻き挙げられ、旋回気流１２８により運ばれ、出口ノズル１２７を通って掃除機本体２０１に吸引される。
　また、吸口体を持ち上げると、空気はほとんど床面開口部１２９から吸引されるため、羽根車１２３はほとんど回転せず、使用者が誤って吸口内に手等を入れても安全である。
　　　　　　　　　　・・・・・
　以上述べたように本実施例によれば、羽根車と同軸にブラシを構成できるので、小型軽量で、かつ音が静かな電気掃除機の吸口と、これを用いた電気掃除機を提供することができる。
　また本実施例によれば、羽根車の中央部が細くできるので、更に小型、軽量化できるという利点もある。また、床面開口部の大径羽根車の下の部分はふさがれているので、シャギー等の毛足の長い絨毯が吸い口内に入って羽根に当たることもなく、羽根車の回転が止まることがないという利点もある。
　また、吸口体を持ち上げた場合、自動的に羽根車の回転が弱まる又は停止するので、ロータリーブラシの高速回転による騒音が発生せず、また使用者が誤って吸口内に指等を入れても安全である。
　また、刷毛が床面と接触する部分には高速の気流もまた接触しているので、床面からのゴミの剥離がより容易であるし、剥離したゴミも出口ノズルに運搬され易いので、集塵性能が向上するという効果もある。
  　　　　　　　　・・・・・
　以上述べたように本発明の実施例によれば、羽根車に同軸にブラシを構成できるので、小型軽量で、かつ音が静かな電気掃除機の吸口体と、これを用いた電気掃除機を提供することができる。
　また、吸口体を持ち上げた場合、自動的に羽根車の回転が弱まる又は停止するので、ロータリーブラシの高速回転による騒音が発生せず、また使用者が誤って吸口内に指等を入れても安全である。
　また、刷毛が床面と接触する部分には高速の気流もまた接触しているので、床面からのゴミの剥離がより容易であるし、剥離したゴミも出口ノズルに運搬され易いので、集塵性能が向上するという効果もある。」（明細書第１４頁２１行〜第１６頁１７行）
　
ｇ．第３，４，８図及び第９図には、入口ノズル１０５，１０６が、吸口体の前面に設けられていることが図示されている。
　
《発明の認定》
　したがって、刊行物２には、
「ひねりを有する羽根車８０２を吸口体内部に設け、刷毛を羽根車８０２の軸に植え、らせん状に羽根車８０２に取り付け、入口ノズル１０５，１０６を吸口体の前面に設け、外部空気が入口ノズル１０５，１０６から吸引され、羽根車８０２に衝突し、トルクを発生し、羽根車８０２を回転させ、その後空気は、旋回気流となり、羽根車８０２の周りを回転し、羽根車８０２に更にトルクを与える吸口体。」
なる発明が記載されている。（なお、この認定は、実施例１に基づいて、特に、第８，９図に示される実施例１を中心に行なった。）
　
　
　
　
　
５．対比・判断
（１）対比
イ．用語の対応
　本件の請求項２に係る発明（以下、「本件発明２」という。）と、刊行物１に記載された発明とを対比する。
　刊行物１に記載された発明における
・吸込口カバー１０６、
・吸口本体１０１、
・ロータリーコア１５０３、
・溝部１５０４、
・刷毛１５０２、
・床面掃除に用いられる吸口体２０５、
は、本件発明２における
・蓋体、
・吸込具本体、
・芯体、
・溝、
・ブラシ体、
・床用吸込具、
にそれぞれ相当すると認められる。
　　
ロ．「回転ブラシ収納室」についての検討
　本件の請求項２には「吸込具本体内に形成される回転ブラシ収納室と、」と記載されている。
　これに対し、刊行物１に記載された発明では、「（吸口体２０５の）内部に回動自在に軸支される回転ブラシ１１５とを備え、」（上記４．(１)《発明の認定》の項参照）と認定されている。このように、吸口体２０５の内部に回転ブラシ１１５が配設されているのだから、同刊行物に記載された発明でも、吸口体２０５の吸口本体１０１内に、回転ブラシ１１５を収納するスペース（すなわち、回転ブラシ収納室）が存在するのは自明である。
　
ハ．「ブラシ体」と「外気」に関する検討
　本件発明２では「・・・回転ブラシのブラシ体に向かって外気を案内しブラシ体に外気を吹き付けて回転ブラシを回転させる・・・」とされている。
　これに対し、刊行物１に記載された発明では、「・・・後部吸気口１２５及び上部吸気口１２６より吸気された空気がタービン１２０へ吹付けられてタービン１２０を回転させ、その後、この空気は吸込口１０５内に導かれ、高速で回転しながら旋回流となって回転ブラシのブレードに当り回転ブラシ１１５を回転させ、・・・」（上記４．(１)《発明の認定》の項参照）と認定されている。同刊行物に記載された発明における、後部吸気口１２５及び上部吸気口１２６より吸気された空気が外気であることは自明であり、また、この空気（外気）が吸込口１０５内に導かれ、旋回流となって、回転ブラシ１１５のブレード１５０１に当り、回転ブラシ１１５を回転させるのであるが、この空気（外気）がブレード１５０１に当たった時には、必然的に刷毛１５０２にも当り、したがって、旋回流となった外気がブレード１５０１と刷毛１５０２に当たった状態で回転ブラシ１１５が回転させられるのは自明である。
　
　
ニ．一致点
　したがって、両発明は
「　上ケース、下ケース及び蓋体を有し、下面に吸込口を有する吸込具本体と、該吸込具本体内に形成される回転ブラシ収納室と、前記吸込口に臨ませた状態で回転ブラシ収納室に回転自在に収納される回転ブラシとを備え、前記回転ブラシは、芯体と、該芯体に形成された溝に基部を挿入して装着されるブラシ体を有すると共に、前記回転ブラシのブラシ体に向かって外気を案内しブラシ体に外気を吹き付けて回転ブラシを回転させる床用吸込具。」
で一致する。
　
ホ．相違点
　そして、両発明は下記のＡ及びＢの２点で相違する。
　相違点Ａ：本件発明２では、溝が「螺旋状の」溝であるが、刊行物１に記載された発明では、「溝部１５０４」が螺旋状ではない点。
　
　相違点Ｂ：本件発明２では、「前記吸込具本体の蓋体に、吐出口を形成すると共に、前記吐出口と前記ブラシ体との対応関係を前記吐出口から流入する外気が回転ブラシの回転に伴って前記ブラシ体のいずれかの部分に当たるようにした」とされているが、刊行物１に記載された発明では、タービン１２０が設けられているので、後部吸気口１２５，上部吸気口１２６と回転ブラシ１１５との対応関係が、これらの吸気口から流入する外気が回転ブラシ１１５に当たるようにはなっておらず、また、これらの吸気口１２５，１２６が蓋体（吸込口カバー１０６）に形成されていない点。
　
　
（２）判断
イ．相違点の検討
《相違点Ａについての検討》
　刊行物２に記載された発明では、「・・・刷毛を羽根車８０２の軸に植え、らせん状に羽根車８０２に取り付け、・・・」（上記４．(２)《発明の認定》の項参照）と認定されている。
　そうすると、刊行物１に記載された発明に、刊行物２に記載された発明を組み合わせ、刊行物１に記載された発明の「溝部１５０４」を螺旋状にし、相違点Ａにおける本件発明２の特定事項に到達することは当業者であれば容易である。
　
　
《相違点Ｂについての検討》
　刊行物２に記載された発明は、同刊行物の実施例１（上記引用箇所４．(２)ｅ．参照）に基づいて認定されているが、刊行物２には他に実施例２が記載されており、この実施例２では、同刊行物の引用箇所上記４．(２)ｆ．に記載されているように、回転をする部分が、トルクを発生させる大径羽根車１２１，１２２と、刷毛１２４を有し、トルクの発生とゴミの掻き挙げとを行なう小径羽根車１２３とから構成されている。
　この刊行物２実施例２の構成は、刊行物１に記載された発明の回転部分（タービン１２０及び回転ブラシ１１５）と類似の機能を持つものであり、この刊行物１記載の発明でもタービン１２０はトルクを発生し、回転ブラシ１１５はトルクの発生と塵埃の掻き上げとの両方を行なう。（刊行物１【００４６】段落「発生した旋回流は、・・・回転ブラシのブレード１に当り、回転ブラシ１１５のトルクを向上させる。」及び【００７３】段落「・・・吸込口１０５内に旋回流が発生するので、曲げて形成されたブレード１５０１が羽根車の役割をはたし、旋回流で塵埃を掻き上げるとともに回転ブラシの回転力を増大させることができる。」等を参照。）
　他方、刊行物２の実施例１における回転部分は、実施例２のようなトルク発生の専用部分（大径羽根車１２１，１２２）がなく、トルクの発生と塵埃の掻き上げの両方を行なう回転ブラシ１１５のみから構成されている。
　そうすると、刊行物２には、回転部分がトルク発生の専用部分を有し、刊行物１に記載された発明と類似の機能を持つ実施例２と、回転部分に、そのようなトルク発生専用の部分がない実施例１とが、並んで記載されており、しかも、トルク発生専用部分がなくても、掃除機として機能することが示されている。してみると、刊行物１に記載された発明に、トルク発生専用部分がない（実施例１に基づいて認定された）刊行物２に記載された発明を組み合わせ、刊行物１に記載された発明のトルク発生専用部分（タービン１２０）を省くことは容易である。そして、これに伴って、刊行物２に記載された発明の「入口ノズル１０５，１０６」を採用し、これらのノズルから外部空気を吸引し、刊行物１に記載された発明に以前からある「回転ブラシ１１５」に外部空気が当たるようにすることも当業者であれば容易である。
　また、これらの「入口ノズル１０５，１０６」を刊行物１に記載された発明の「吸込口カバー１０６」に形成することに格別の効果は認められず、このように形成することは設計的な事項にすぎない。
　したがって、刊行物１に記載された発明に、刊行物２に記載された発明を組み合わせ、相違点Ｂにおける本件発明２の特定事項に到達することは当業者であれば容易である。
　
　
ロ．効果についての検討
　本件発明２の効果は、刊行物１及び２に記載された発明から当業者により容易に推測されたものである。
　
　
ハ．まとめ
　このように、本件発明２は、本願の出願前に頒布された刊行物１及び２に記載された発明に基づいて、当業者が容易に発明をすることができたものであるから、特許法第２９条第２項の規定により、特許を受けることができない。
　
　
　
６．むすび
　以上のように、本件発明２は、特許法第２９条第２項の規定により、特許を受けることができないものである。
　したがって、本件の請求項１に係る発明について検討するまでもなく、本件出願は拒絶すべきものである。
　よって、結論のとおり審決する。